(57)【要約】【課題】  情報処理装置を用いて行うデータ処理作業において、マウス等を用いた煩雑な操作をユーザに強いることなく、アプリケーションプログラムや処理対象データを特定してデータ処理を実行させる。【解決手段】  アプリケーションやデータ等の情報を保持するとともに当該情報を表象する画像を表示した電子ペーパーカードＥＰをカードリーダ６０で読み取り、保持情報を情報処理装置５０に入力して、アプリケーション起動手段５２やデータ取得手段５３による処理で、画面５１上にアプリケーションプログラムでデータを処理するウインドウを表示する。電子ペーパーカードＥＰからは電子メールアドレス情報等も入力され、電子メールを送信処理するデータ処理もなされる。【選択図】  図１
2006004311.tif 000002
【特許請求の範囲】
【請求項１】
情報を外部から読み取り可能に保持する記憶部と前記保持情報を表象する画像情報を無電源状態で表示保持する表示部とを有する表示記録媒体と、前記表示記憶媒体が装填されて前記記憶部に保持された情報を読み取るリーダと、前記リーダから前記読み取り情報が入力されて当該情報に基づいたデータ処理を実行する情報処理装置と、を備えたことを特徴とするデータ処理システム。
【請求項２】
請求項１に記載のデータ処理システムにおいて、
前記表示記憶媒体は、複数用意されて各々の記憶部には異なる情報が保持され、
前記情報処理装置は、前記リーダから入力された複数種類の読み取り情報の組み合わせに基づいたデータ処理を実行することを特徴とするデータ処理システム。
【請求項３】
請求項２に記載のデータ処理システムにおいて、
処理対象のデータに係る情報を記憶部に保持したデータ用表示記憶媒体と、データを処理するアプリケーションプログラムに係る情報を記憶部に保持したアプリケーション用表示記憶媒体とが用いられ、
前記情報処理装置は、前記リーダから入力された処理対象のデータに係る情報に基づくデータを、前記リーダから入力されたアプリケーションプログラムに係る情報に基づくアプリケーションプログラムで処理することを特徴とするデータ処理システム。
【請求項４】
請求項２に記載のデータ処理システムにおいて、
処理対象のデータに係る情報を記憶部に保持したデータ用表示記憶媒体と、データを処理するアプリケーションプログラムに係る情報を記憶部に保持したアプリケーション用表示記憶媒体と、情報処理装置の画面上における処理対象データの表示位置に係る情報を記憶部に保持したレイアウト用表示記憶媒体が用いられ、
前記情報処理装置は、前記リーダから入力された処理対象のデータに係る情報に基づくデータを、前記リーダから入力されたアプリケーションプログラムに係る情報に基づくアプリケーションプログラムで処理するとともに、前記リーダから入力された処理対象データの表示位置に係る情報に基づく画面上の位置に表示することを特徴とするデータ処理システム。
【請求項５】
請求項２に記載のデータ処理システムにおいて、
処理対象のデータに係る情報を記憶部に保持したデータ用表示記憶媒体と、データを電子メールで送信処理するアプリケーションプログラムに係る情報を記憶部に保持したアプリケーション用表示記憶媒体と、前記電子メールの宛先アドレスに係る情報を記憶部に保持したアドレス用表示記憶媒体が用いられ、
前記情報処理装置は、前記リーダから入力されたアプリケーションプログラムに係る情報に基づくアプリケーションプログラムで電子メールの送信処理をすることで、前記リーダから入力された処理対象のデータに係る情報に基づくデータを、前記リーダから入力された宛先アドレスに係る情報に基づくアドレス宛ての電子メールに作成して送信することを特徴とするデータ処理システム。
【請求項６】
請求項２に記載のデータ処理システムにおいて、
前記複数の表示記憶媒体のそれぞれの記憶部には、データを処理するアプリケーションプログラムに係る情報と、情報処理装置の画面上における当該アプリケーションプログラムのウインドウ表示位置に係る情報が保持され、
前記リーダは、各表示記録媒体をそれぞれ装填するための複数の装填部を有して、当該装填部に装填された表示記憶媒体の記憶部に保持された前記アプリケーションプログラムに係る情報と前記ウインドウ表示位置に係る情報を読み取り、
前記情報処理装置は、前記リーダから入力されたアプリケーションプログラムに係る情報に基づくアプリケーションプログラムを起動するとともに、当該アプリケーションプログラムのウインドウを前記装填部に予め設定された階層位置で且つ前記リーダから入力されたウインドウ表示位置に係る情報に基づく画面上の位置に表示することを特徴とするデータ処理システム。
【請求項７】
請求項１乃至請求項６のいずれか１項に記載のデータ処理システムにおいて、
前記表示記録媒体はカード状の電子ペーパーであり、電子データ形式の情報を読み書き可能に保持する記憶部と、記憶部に保持される情報を外部に通信する通信部と、画像情報を書き換え可能に無電源状態で表示保持する表示部とを有していることを特徴とするデータ処理システム。
【請求項８】
請求項１乃至請求項７のいずれか１項に記載のデータ処理システムにおいて、
前記リーダは前記表示記録媒体の縁部を装填するスロットを有し、当該表示記録媒体は当該リーダに立てた状態で支持されることを特徴とするデータ処理システム。
【請求項９】
請求項１乃至請求項７のいずれか１項に記載のデータ処理システムにおいて、
前記リーダは前記表示記録媒体から情報を読み取るために当該表示記録媒体を設置する領域を有し、当該表示記録媒体は当該リーダに平置き状態で支持されることを特徴とするデータ処理システム。
【請求項１０】
請求項９に記載のデータ処理システムにおいて、
前記リーダはテーブルに内蔵されて、前記表示記録媒体を設置する領域は当該テーブルの上面に設けられていることを特徴とするデータ処理システム。
【請求項１１】
記憶部に情報を外部から読み取り可能に保持するとともに表示部に前記保持情報を表象する画像情報を無電源状態で表示保持する表示記録媒体を、リーダに装填して前記記憶部に保持された情報を読み取り、
前記リーダが読み取った情報を情報処理装置に入力して、当該情報処理装置に当該情報に基づいたデータ処理を実行させることを特徴とするデータ処理方法。
【請求項１２】
記憶部に互いに異なる種類の情報を外部から読み取り可能に保持するとともに表示部に前記保持情報を表象する画像情報を無電源状態で表示保持する複数の表示記録媒体を、リーダに装填して前記記憶部に保持された各情報を読み取り、
前記リーダが読み取った複数種類の情報を情報処理装置に入力して、当該情報処理装置に当該複数種類の読み取り情報の組み合わせに基づいたデータ処理を実行させることを特徴とするデータ処理方法。
【発明の詳細な説明】
【技術分野】
【０００１】
本発明は、処理対象データやアプリケーションプログラム等に係る情報を記憶部に外部から読み取り可能に保持するとともに当該保持情報を表象する画像情報を表示部に無電源状態で表示保持する表示記録媒体を用いて、アプリケーションプログラムを起動するパーソナルコンピュータ等の情報処理装置によるデータ処理を制御する技術に関し、特に、アプリケーションプログラム等に係る情報を電子データとして保持するメモリ機能、メモリに記憶した情報データを外部に送信する通信機能、光書き込み或いは電気的書き込みされた画像情報を無電源状態で表示保持する表示部機能を備えた電子ペーパーを表示記録媒体として用いて好適な技術に関する。
【背景技術】
【０００２】
パーソナルコンピュータ等の情報処理装置を用いたデータ処理は、処理を行う内容や処理対象のデータ形式等に応じたアプリケーションプログラムを起動することにより実行される。例えば、ドキュメントを作成するデータ処理を行う場合には文書作成用のアプリケーションプログラムが起動され、表計算のデータ処理を行う場合には表計算用のアプリケーションプログラムが起動され、作図のデータ処理を行う場合には作図用のアプリケーションプログラムが起動され、また、ＰＤＦ形式やイメージ形式等のドキュメントデータを画面表示するデータ処理を行う場合には対象データの形式に対応するアプリケーションプログラムが起動され、また、ドキュメントデータ等を電子メールにより送信するデータ処理を行う場合には電子メール送信処理用のアプリケーションプログラムが起動される。
【０００３】
このようなデータ処理作業において、ユーザが情報処理装置の画面上に複数のウインドウを開き、各ウインドウで異なるデータを表示したり異なるアプリケーションプログラムを起動して、複数の処理を並行して行う場合がある。例えば、同一画面に画像を表示するウインドウと文書作成をするウインドウとを開き、画像を参照しながらドキュメント文書を作成するといった作業がなされる。
また、このような複数のウインドウを画面表示して作業においては、ユーザの好み等に応じて各ウインドウの画面上での配置関係が設定されるが、このような画面上における作業領域（ウインドウ）のレイアウトが作業を効率的に行うために重要な要素である。
【０００４】
ここで、情報処理装置により処理されるデータ（電子データ）について、近年では、紙媒体である用紙にとって代わることが可能なデータ内容閲覧のための媒体として、用紙の如く柔軟な薄型で画像情報を表示部に無電源状態で表示保持することができる電子ペーパーが開発されている。このような電子ペーパーによると、表示部が表示保持する画像情報を書き換えて繰り返し使用することを可能ならしめ、また、当該画像情報に係る種々なデータをメモリに保持して外部と送受信することも可能ならしめる他、例えば、画像情報を表示保持した電子ペーパーを、机の上に複数並べて閲覧したり、手に持って閲覧したり、複数のユーザ間で回覧にて閲覧したり、重ねたり束ねたり他人に手渡したりといった人間の日常的な環境における自然な行動の中でストレスなく電子データで構成された情報内容を閲覧利用することを可能ならしめることができる。
【０００５】
電子ペーパーは、例えば、無電源状態でドキュメント画像等の画像情報を表示保持する表示部を有した装置であり、その表示部への画像情報の書き込み形式で大別すると、電子データに基づいて自己で画像情報を表示部に書き込む機能を有する自己書き込み型電子ペーパーと、電子データに基づいて投影された画像情報を表示部に保持する光書き込み型電子ペーパーとがある。
このような電子ペーパーは、用紙と異なって表示部に表示保持した画像情報を消去したり上書きすることが可能であり、表示保持する画像情報を更新したり、繰り返し使用することができるので紙資源の節約等の観点からも利用促進が望まれている。
【発明の開示】
【発明が解決しようとする課題】
【０００６】
情報処理装置で文書作成等のデータ処理作業を行う場合、従来では、ユーザがマウスやキーボードを操作して、必要なアプリケーションプログラムを選択して起動させ、また、処理対象のデータを選択してメモリから読出し、更には、当該アプリケーションプログラムのウインドウ位置を設定することが行われている。
ここで、このデータ処理を一旦中断し、後にデータ処理作業を再開しようとした場合には、ユーザは、アプリケーションプログラムの起動、処理対象データの選択、ウインドウ位置の設定といった操作を繰り返さなければならず、煩雑な操作を強いられていた。
【０００７】
また、情報処理装置を用いたデータ処理作業では、アプリケーションプログラムで処理するデータを他のデータに交換する、データを処理するアプリケーションプログラムを他のアプリケーションプログラムに交換する、データ処理の画面上の作業領域（ウインドウ）位置を設定する等といったことが必要に応じてなされるが、このような場合にも、上記と同様にユーザがマウス等を操作して画面上に表示されたアプリケーションプログラムやデータのアイコンを選択する操作や、ウインドウ位置を設定する操作をしなければならず、煩雑な操作を強いられていた。
【０００８】
本発明は、上記従来の事情に鑑みなされたもので、情報処理装置を用いて行うデータ処理作業において、マウス等を用いた煩雑な操作をユーザに強いることなく、アプリケーションプログラムや処理対象データを特定してデータ処理を実行させることを目的としている。
【０００９】
本発明は、例えば、処理対象のデータと処理を実行するアプリケーションプログラムの設定、更には、その作業領域の画面上における表示位置の設定を、これら設定に係る情報を保持した表示記録媒体をユーザが選択してリーダに読み取りさせるといった簡単な操作で実現することを目的としている。そして、本発明は、表示記録媒体が画像情報を無電源状態で表示保持する機能を利用することで、必要な情報を保持した表示記録媒体をユーザが容易に選択できるようにすることを目的としている。
【課題を解決するための手段】
【００１０】
本発明では、表示記録媒体として、画像情報を無電源状態で表示保持する表示部と、当該表示保持された情報の電子データを保持するメモリ等の記憶部と、メモリに保持した情報データを外部に送信出力する通信部とを有する電子ペーパーを用いることができる。また、本発明では、例えば、内部に保持した情報データを非接触で外部から読み取ることができるＲＦＩＤタグや、コード化した情報データを画像認識で外部から読み取ることができる二次元コードを貼付或いは印刷した紙媒体である用紙を表示記録媒体として用い、当該用紙にＲＦＩＤタグや二次元コードに保持した情報を表象するサムネイル画像やアイコン等の画像情報を印刷して表示させるようにしてもよい。
本発明で用いる表示記録媒体は、要は、アプリケーションやデータ等に係る情報を外部から読み取り可能に保持する記憶部と、当該保持した情報を表象する画像情報を無電源状態で表示保持する表示部を有する媒体であればよい。
【００１１】
本発明は、情報処理装置に所定のデータ処理を行わせる方法又は当該方法を実施するシステムとして実現され、本発明に係るデータ処理システムは、情報を外部から読み取り可能に保持する記憶部と当該保持情報を表象する画像情報を無電源状態で表示保持する表示部とを有する表示記録媒体と、表示記憶媒体が装填されてその記憶部に保持された情報を読み取るリーダと、リーダから読み取り情報が入力されて当該情報に基づいたデータ処理を実行する情報処理装置とを備えている。
【００１２】
ここで、表示記録媒体の記憶部に記憶される情報として、例えば文書の画面表示や作成のデータ処理では、処理対象のデータに係る情報（実データ又は情報処理装置のメモリに保持されているデータを識別して読み出すためのデータＩＤ等）、データを処理するアプリケーションプログラムに係る情報（実プログラム又は情報処理装置のメモリに保持されているアプリケーションプログラムを識別して起動するためのプログラムＩＤ等）、情報処理装置の画面上における処理対象データの表示位置に係るレイアウト情報（ウインドウの画面上での座標データ又は他のウインドウとの位置関係データ等）等が挙げられ、これらの情報を幾つ用いるか或いはどのような組み合わせで用いるかは実際のシステム運用の形態に応じて任意に選択される。
【００１３】
また、本発明において、例えば処理対象データを電子メールとして送信知るデータ処理では、表示記録媒体の記憶部に記憶される情報として、データを電子メールで送信処理するアプリケーションプログラムに係る情報等の他に、電子メールの宛先アドレスに係る情報（実アドレスデータ又は情報処理装置のメモリに保持されているアドレスデータを識別して使用するためのアドレスＩＤ等）が挙げられ、これらの情報を幾つ用いるか或いはどのような組み合わせで用いるかは実際のシステム運用の形態に応じて任意に選択される。
【００１４】
ここで、本発明では、処理対象データに係る情報、アプリケーションに係る情報、レイアウトに係る情報、電子メールアドレスに係る情報の組み合わせを保持させて、１つの表示記憶媒体から予め組み合わされた情報を情報処理装置に入力することで、当該組み合わせ情報により規定されるデータ処理を情報処理装置に実行させることもできる。
また、本発明では、これら種類の異なる複数の情報をそれぞれ別な表示記憶媒体に保持させて、複数の表示記録媒体をユーザが取捨選択して組み合わせることができるようにし、これら複数の表示記憶媒体からそれぞれ読み取られる複数の情報を情報処理装置に入力することで、これら情報の組み合わせにより規定されるデータ処理を情報処理装置に実行させることもできる。
【００１５】
複数の表示記憶媒体の組み合わせによる本発明のより具体的な構成としては、例えば、処理対象のデータに係る情報を記憶部に保持したデータ用表示記憶媒体と、データを処理するアプリケーションプログラムに係る情報を記憶部に保持したアプリケーション用表示記憶媒体とを用いて、情報処理装置が、リーダから入力された処理対象のデータに係る情報に基づくデータを、リーダから入力されたアプリケーションプログラムに係る情報に基づくアプリケーションプログラムで処理する。
【００１６】
また、複数の表示記憶媒体の組み合わせによる本発明のより具体的な構成としては、処理対象のデータに係る情報を記憶部に保持したデータ用表示記憶媒体と、データを処理するアプリケーションプログラムに係る情報を記憶部に保持したアプリケーション用表示記憶媒体と、情報処理装置の画面上における処理対象データの表示位置に係る情報を記憶部に保持したレイアウト用表示記憶媒体とを用いて、情報処理装置が、リーダから入力された処理対象のデータに係る情報に基づくデータを、リーダから入力されたアプリケーションプログラムに係る情報に基づくアプリケーションプログラムで処理するとともに、リーダから入力された処理対象データの表示位置に係る情報に基づく画面上の位置に表示する。
【００１７】
また、複数の表示記憶媒体の組み合わせによる本発明のより具体的な構成としては、処理対象のデータに係る情報を記憶部に保持したデータ用表示記憶媒体と、データを電子メールで送信処理するアプリケーションプログラムに係る情報を記憶部に保持したアプリケーション用表示記憶媒体と、前記電子メールの宛先アドレスに係る情報を記憶部に保持したアドレス用表示記憶媒体とを用いて、情報処理装置が、リーダから入力されたアプリケーションプログラムに係る情報に基づくアプリケーションプログラムで電子メールの送信処理をすることで、リーダから入力された処理対象のデータに係る情報に基づくデータを、リーダから入力された宛先アドレスに係る情報に基づくアドレス宛ての電子メールに作成して送信する。
【００１８】
また、複数の表示記憶媒体の組み合わせによる本発明のより具体的な構成としては、各表示記憶媒体のそれぞれの記憶部にデータを処理するアプリケーションプログラムに係る情報と情報処理装置の画面上における当該アプリケーションプログラムのウインドウ表示位置に係る情報を保持させておき、リーダに設けられた複数の装填部に各表示記録媒体をそれぞれ装填して、各装填部に装填された表示記憶媒体の記憶部に保持されたアプリケーションプログラムに係る情報とウインドウ表示位置に係る情報を読み取り、情報処理装置が、リーダから入力されたアプリケーションプログラムに係る情報に基づくアプリケーションプログラムを起動するとともに、当該アプリケーションプログラムのウインドウを装填部に予め設定された階層位置で且つリーダから入力されたウインドウ表示位置に係る情報に基づく画面上の位置に表示する。
【発明の効果】
【００１９】
本発明によると表示部に表示保持した表象画像によりユーザが内容を容易に認識することができる表示記録媒体を用いて、表示記録媒体から読み取った情報に基づいてパーソナルコンピュータ等の情報処理装置によるデータ処理を制御するようにしたため、所望のデータ処理の実行指示、データ処理の作業環境の再現、データやアプリケーションプログラムの切換え等を、ユーザに煩雑なマウス操作を強いることなく容易に行うことができる。
【発明を実施するための最良の形態】
【００２０】
本発明を一実施例に基づいて具体的に説明する。
まず、本発明に利用される表示記録媒体の一例について、図１１〜図１９を参照して説明する。
図１１〜図１７に示す表示記録媒体は電子ペーパーと称せられる媒体であり、ドキュメント画像の記録方式に違いにより大別して、図１１〜図１４に示す光書き込み型と、図１５〜図１７に示す自己書き込み型とがあり、いずれの形式にあってもいわゆる電子ペーパーと称せられるように紙の様に薄型の装置である。
【００２１】
図１１（ａ）には光書き込み型電子ペーパーＥＰを正面視して示し、同図（ｂ）には当該光書き込み型電子ペーパーＥＰを側面視で示してある。なお、図示の電子ペーパーＥＰはドキュメント画像を表示保持する表示部２と電子データの処理を司る処理部３とを有しており、同図（ａ）には処理部３に内蔵されている諸機能部も表してある。
光書き込み型電子ペーパーＥＰは、例えばＡ４版の用紙のような大きさのフレキシブルな薄型であり、大部分の面積を占める表示部２の一片に処理部３が設けられている。
なお、表示部２の大きさは任意であり、タグやカードとして用いることもでき、用途に応じた大きさのものとされる。なお、後述するように本例に係るシステムでは、表示部２はサムネイル画像やアイコン等の簡単な画像情報を保持すれば足りるため、電子ペーパーＥＰはカード状のより小型のものとされている。
【００２２】
処理部３には、後述するように表示部２を駆動する電圧を印加するための電極４、外部と無線通信するための無線部５、電子データを読み書き自在に保持するメモリ６、無線部５やメモリ６の駆動電力を供給するバッテリ７が設けられている。
光書き込み型電子ペーパーＥＰは、外部の無線通信機能を有する装置（後述するカードリーダ）と無線部５で無線通信することにより、メモリ６に記憶する電子データ（処理対象データに係る情報、アプリケーションプログラムに係る情報、レイアウトに係る情報、電子メールアドレスに係る情報等）を送受信し、また、これら電子データをメモリ６に保持することができる。
【００２３】
例えば、光書き込み型電子ペーパーＥＰは、図１２に示すように液晶パネル２５に画像情報を表示し、電極４に外部の電源から電圧を印加しながら光書き込み型電子ペーパーＥＰを液晶パネル２５に重ねて光を照射することにより、液晶パネル２５に表示させた画像情報を表示部２に転写して表示保持させることができる。
すなわち、光書き込み型電子ペーパーＥＰは電極４に電圧を印加することで投影された画像情報を表示部２に転写し、電極４に印加した電圧を除去した後も当該画像情報を表示状態で保持し続ける機能を有している。
【００２４】
光書き込み型電子ペーパーＥＰは、表示部２の断面構造を表す図１４に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００２５】
そして、光書き込み型電子ペーパーＥＰは、表示部２の動作原理を表す図１３に示すように、例えば画像書込み用の調光素子パネル（発光パネル）２５に転写する画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極４に電圧を印加して新たな画像を投影することにより、表示部２に保持されている画像情報を上書きすることもでき、このような上書き処理によっても幾度も再使用することができる。
【００２６】
したがって、光書き込み型電子ペーパーＥＰは、紙のように薄く柔軟である性質に加えて、画像の投影により転写された画像情報を無電源保持する性質があるので、あたかもプリンタや複写機に使用する紙の如く用いることができ、しかも、繰り返し再使用することができる表示記録媒体である。更に、本例の光書き込み型電子ペーパーＥＰは、無線通信機能及びメモリ機能を備えているので、後述するように、メモリ６に記録される電子データを非接触で送受信することができる。
なお、図１０を参照して後述するように、光書き込み型電子ペーパーＥＰに画像情報を表示保持させて排出する電子ペーパープリンタ４９は、上記のような画像投影機能を有しており、更には、メモリに保持させる処理対象データに係る情報等の電子データを無線送信する通信機能を有している。
【００２７】
図１５（ａ）には自己書き込み型電子ペーパーＥＰを正面視して示し、同図（ｂ）には当該自己書き込み型電子ペーパーＥＰを側面視で示してある。図示の電子ペーパーＥＰは情報画像を表示保持する表示部１２と電子データの処理を司る処理部１３とを有しており、同図（ａ）には処理部１３に内蔵されている諸機能部も表してある。
自己書き込み型電子ペーパーＥＰは、光書き込み型電子ペーパーＥＰと同様に、例えばＡ４版の用紙のような大きさのフレキシブルな薄型表示装置であり、大部分の面積を占める表示部１２の一片に処理部１３が設けられている。なお、光書き込み型電子ペーパーＥＰと同様に、表示部１２の大きさは用途に応じた大きさのものとされるが、本例の電子ペーパーＥＰはカード状のより小型のものとされている。
【００２８】
処理部１３には、表示部１２を駆動するドライバ１４、外部と無線通信するための無線部１５、電子データを読み書き自在に保持するメモリ１６、ドライバ１４や無線部１５やメモリ１６の駆動電力を供給するバッテリ１７、ドライバ１４による画像表示に対する操作入力を受け付けるボタン等の操作部１８が設けられている。
自己書き込み型電子ペーパーＥＰは、外部の無線通信機能を有する装置（後述するカードリーダ）と無線部１５で無線通信することにより、上記と同様にアプリケーションプログラムに係る情報等の電子データを送受信し、また、これら電子データをメモリ１６に保持することができる。
【００２９】
更に、自己書き込み型電子ペーパーＥＰは、光書き込み型電子ペーパーＥＰとは異なって、メモリ１６に保持したサムネイル等の画像情報電子データに基づいてドライバ１４が表示部１２にドキュメント画像をすることができ、ドライバ１４の駆動電力を除去しても表示部１２に画像情報を表示状態で保持し続ける機能を有している。
自己書き込み型電子ペーパーＥＰは、表示部１２の断面構造を表す図１７に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００３０】
そして、自己書き込み型電子ペーパーＥＰは、表示部１２の動作原理を表す図１６に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、メモリ１６に記憶されたデータに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによるドキュメント画像が表示される。なお、異なるデータに基づいてドライバ１４を動作させることにより、白色粒子３１と黒色粒子３２とのコントラストにより表示部１２に表示される画像情報を切り換えることができ、幾度も再使用することができる。
【００３１】
したがって、自己書き込み型電子ペーパーＥＰは、紙のように薄く柔軟である性質に加えて、表示部１２に表示した画像情報を無電源保持する性質があるので、あたかも紙の如く用いることができる表示記録媒体である。更に、本例の自己書き込み型電子ペーパーＥＰは、無線通信機能及びメモリ機能を備えているので、後述するように、メモリ１６に記録される電子データを非接触で送受信することができる。
なお、図１０を参照して後述するように、自己書き込み型電子ペーパーＥＰに画像情報を表示保持させて排出する電子ペーパープリンタ４９は、上記のような画像データを無線送信する通信機能を有している。
【００３２】
ここで、光書き込み型や自己書き込み型等の形式を問わず、図１８に示すように、無線部５（１５）やメモリ６（１６）等といった無線通信機能やメモリ機能部を電子ペーパーの表示部２（１２）とは別の無線ＩＣタグ（ＲＦＩＤ）４１として構成し、当該ＲＦＩＤタグ４１を電子ペーパーＥＰの表示部に取り付けることにより上記と同様な構成とするようにしてもよい。なお、無線ＩＣタグとした場合等において、バッテリは後述するカードリーダや電子ペーパープリンタ４９に備えられるタグリーダからの起電力を保持するコンデンサとするようにしてもよい。
また、本発明に係る表示記録媒体の記録部は、データやプログラムの実体ではなくこれらデータ等を識別するコードデータを記憶保持するものであってもよく、このような場合には、当該情報データを二次元コード化したバーコード４２を後述する電子ペーパープリンタ４９により印刷或いは貼付し、また、後述するカードリーダによりバーコード４２を画像読み取りして情報を認識するようにしてもよい。
【００３３】
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的に画像情報を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーＥＰの表示部２（１２）としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００３４】
また、本発明は、上記のような電子ペーパー以外に紙媒体である用紙Ｐも勿論適用することができ、例えば図１９に示すように、用紙ＰをＲＦＩＤタグ４１やバーコード４２に保持させた情報を表象する画像情報の表示記録媒体に用いる場合には、用紙Ｐにアプリケーションプログラムに係る情報等をＲＦＩＤタグ４１やバーコード４２を付加することで保持させる機能と、当該保持させた情報を表象する画像情報を公知のプリンタや複写機等のように用紙Ｐに印刷する機能と、を有していればよい。
【００３５】
図１０には、カード状の光書き込み型電子ペーパーＥＰ又は自己書き込み型電子ペーパーＥＰに、処理対象のデータに係る情報、アプリケーションプログラムに係る情報、画面上における処理対象データの表示位置に係るレイアウト情報、電子メールの宛先アドレスに係る情報等といった電子データを保持させるとともに、当該保持させた情報データを表象する画像情報を表示保持させて排出するシステムの一例を示してある。
【００３６】
図示の例では、パーソナルコンピュータＰＣから処理対象のデータに係る情報等の電子データ及び当該情報の内容を表象するサムネイル画像データを電子ペーパープリンタ４９に入力し、電子ペーパープリンタ４９に備えられたデータ書き込み手段４７が処理対象のデータに係る情報等の電子データを出力して電子ペーパーカードＥＰのメモリ６（１６）に記憶させるとともに、電子ペーパープリンタ４９に備えられた画像書き込み手段４８がサムネイル画像を電子ペーパーカードＥＰの表示部２（１２）に表示保持させる。
【００３７】
ここで、光書き込み型電子ペーパーカードＥＰを用いる場合には、画像書き込み手段４８が、カードＥＰの電極４に書込電圧を印加するとともにパーソナルコンピュータＰＣから入力されたサムネイル画像データに基づくサムネイル画像をカードＥＰの表示部２に投影し表示保持させる。また、自己書き込み型電子ペーパーカードＥＰを用いる場合には、画像書き込み手段４８が、パーソナルコンピュータＰＣから入力されたサムネイル画像データを無線送信してカードＥＰの無線部１５で受信させ、これによってドライバ１４を駆動させて表示部１２にサムネイル画像を表示保持させる。なお、紙媒体である用紙Ｐを用いる場合には、画像書き込み手段４８が、パーソナルコンピュータＰＣから入力されたサムネイル画像データに基づくサムネイル画像を用紙Ｐに印刷すればよい。
【００３８】
また、本例ではサムネイル画像を例としているが、カードＥＰが保持する処理対象のデータに係る情報等の情報を表象する画像情報であればよく、アプリケーションプログラムを表象するアイコン画像、画面上のレイアウト位置を表象する図形の画像、電子メールアドレスを表記した画像等であってもよい。このようなサムネイル画像、アイコン画像、図形画像、アドレス表記画像等は、例えば、予めパーソナルコンピュータＰＣが作成して用意しておく他、アプリケーションプログラム等に予め含まれているアイコン画像を用いるようにしてもよく、パーソナルコンピュータＰＣやプリンタ４９で作成するか或いはデータやプログラムに付加されている画像を用いるかは任意に設定すればよい。
【００３９】
また、無線通信機能を有する電子ペーパーやＲＦＩＤタグ４１を有する標示記録媒体を用いる場合には、電子ペーパープリンタ４９のデータ書き込み手段４７が処理対象のデータに係る情報等の電子データを無線送信して、カード側に受信させてそのメモリに記憶させるが、二次元コード４２を記憶部として有する標示記録媒体を用いる場合には、データ書き込み手段４７は、パーソナルコンピュータＰＣから入力された処理対象のデータに係る情報等のコード情報データに基づく二次元コード４２を当該表示記録媒体に印刷する。
【００４０】
また、カードＥＰの記憶部に保持させる情報は、例えば、処理対象のデータに係る情報、データを処理するアプリケーションプログラムに係る情報、データ処理を実行する情報処理装置５０の画面上における処理対象データ（例えば、ウインドウ）の表示位置に係る情報、電子メールの宛先アドレスに係る情報が用いられるが、これら情報の内のどの情報を保持させるか、これら情報を１つのカードＥＰに１つ又は複数保持させるか、１つのカードＥＰに複数の情報を保持させる場合にどの情報を組み合わせるか等については、システムの使用態様に応じて任意に設定される。
また、これら処理対象データやアプリケーションプログラム等に係る情報は実データや実プログラムとしてカードＥＰの記憶部に保持させてもよく、また、情報処理装置５０に予め実データや実プログラムを記憶させておき、これら実データや実プログラムを識別して読出しや起動をさせるための識別情報（ＩＤ）であってもよい。
【００４１】
図１には、本発明の一例に係るデータ処理システムの構成を示してある。なお、表示記録媒体として電子ペーパーカードＥＰを用いた例を説明するが、上記のように他の種類の表示記録媒体を用いることもできる。
本例のデータ処理システムは、パーソナルコンピュータに所定の制御プログラムを実行させることにより諸機能を構成した情報処理装置５０と、電子ペーパーカードＥＰの記憶部２（１２）に保持された処理対象データ等に係る情報を読み取って情報処理装置５０に入力するカードリーダ６０とを備えている。
【００４２】
情報処理装置５０は、ディスプレイ装置からなる画面５１、カードリーダ６０によりカードＥＰから読み込まれたアプリケーションプログラムに係る情報に基づくアプリケーションプログラムを起動するアプリケーション起動手段５２、カードリーダ６０によりカードＥＰから読み込まれた処理対象のデータに係る情報に基づく実データを当該起動したアプリケーションプログラムの処理対象に読み込むデータ取得手段５３、起動されたアプリケーションプログラムの作業領域（すなわち、処理対象データを表示するウインドウ）をカードリーダ６０によりカードＥＰから読み込まれた表示位置に係るレイアウト情報に基づく画面５０上の位置に表示するウインドウ表示制御手段５４を有している。
【００４３】
また更に、情報処理装置５０は、上記のようにして読み込まれたデータを文面とした電子メールをカードリーダ６０によりカードＥＰから読み込まれたアドレスに係る情報に基づくアドレスデータを宛先として作成して送信処理するメール作成手段５５、カードリーダ６０との接続インタフェース５６、ネットワークＮとの通信処理を行う通信手段５７、上記各機能手段５１〜５７を統括制御する制御手段５８を有している。
【００４４】
カードリーダ６０に装填されて保持情報が読み取られるカードＥＰの記憶部６（１６）には、例えば、図２に示すような態様でデータやアプリケーションプログラムに係る情報データが保持される。
図２（ａ）に示すカードＥＰには、画面５１上のウインドウ表示位置に係るレイアウトの情報データ（実データ又はＩＤ）が記憶保持され、当該レイアウト情報データには制御部５８がレイアウト情報であることを識別し得るように種別情報が付加されている。このようにレイアウト情報データだけを記憶保持したカードは、レイアウト指定の機能のみを有したレイアウト用カードとして用いられる。
【００４５】
図２（ｂ）に示すカードＥＰには、アプリケーション起動手段５２が起動すべきプログラムの情報データ（実プログラム又はＩＤ）が記憶保持され、当該プログラム情報データには制御部５８がアプリケーションプログラム情報であることを識別し得るように種別情報が付加されている。このようにアプリケーションプログラム情報データだけを記憶保持したカードは、所定のプログラムの起動機能のみを有したアプリケーション用カードとして用いられる。
【００４６】
図２（ｃ）に示すカードＥＰには、データ取得手段５３で読み込むデータやメール作成手段５５でメール化するデータの情報データ（実データ又はＩＤ）が記憶保持され、当該データ情報には制御部５８がデータ情報であることを識別し得るように種別情報が付加されている。このようにデータに係る情報データだけを記憶保持したカードは、所定のデータを処理対象とする機能のみを有したデータ用カードとして用いられる。
ここで、データ用カードには１つのデータ（実データ又はＩＤ）だけを記憶保持させるだけでなく、複数のデータ（実データ又はＩＤ）を記憶保持させるようにしてもよい。すなわち、対応するアプリケーションが同じ或いは異なる複数のデータファイルを含んだフォルダを１枚のデータ用カードに記憶保持させるようにしてもよい。
【００４７】
図２（ｄ）に示すカードＥＰには、メール作成手段５５で宛先とするアドレスの情報データ（実アドレスデータ又はＩＤ）が記憶保持され、当該アドレス情報データには制御部５８がデータ情報であることを識別し得るように種別情報が付加されている。このようにアドレス情報データだけを記憶保持したカードは、電子メールアドレスを指定する機能のみを有したアドレス用カードとして用いられる。
【００４８】
図２（ｅ）に示すカードＥＰには、上記のレイアウト情報データ、アプリケーション情報データ、データ情報のデータが全て記憶保持され、これら情報データの組み合わせ情報であることを制御部５８が識別し得るように種別情報が付加されている。このように複数の情報データを組み合わせて記憶保持したカードは、これら組み合わせによる機能を有した複合カードとして用いられる。具体的には、図示の複合カードを１枚カードリーダ６０２装填して、その保持情報を情報処理装置５０に入力することで、情報処理装置５０に、入力された処理対象のデータに係る情報に基づくデータを、入力されたアプリケーションプログラムに係る情報に基づくアプリケーションプログラムで処理するとともに、入力された処理対象データの表示位置に係る情報に基づく画面上の位置にウインドウを表示することができる。
【００４９】
すなわち、１枚の複合カードＥＰに記憶保持させる情報の組み合わせや、各々１つずつの情報を記憶保持した複数枚のカードＥＰの組み合わせをユーザが選択して設定することにより、当該カードをカードリーダ６０で読み取りをさせるだけで、情報処理装置５０に当該組み合わせによる文書作成やメール送信等といったデータ処理を実行させることができる。
【００５０】
次に、図３〜図９を参照して、本例のシステムが実行する処理をより具体的に説明する。
図３は、３枚の電子ペーパーカードＥＰに３つのアプリケーションプログラムによる作業環境を保持させて出力する例を示しており、図中の情報処理装置５０は図１０に示した出力用パーソナルコンピュータＰＣを兼ねている。なお、これら電子ペーパーカードＥＰに情報データを記憶保持させるとともに当該情報の表象画像を表示保持させる電子ペーパープリンタ４９は図示を省略してある。
【００５１】
情報処理装置５０において、ユーザが３つのアプリケーションプログラムＡ、Ｂ、Ｃを起動して、それらの作業領域（ウインドウＡＷ、ＢＷ、ＣＷ）を図３に示すような態様で画面５１上に配置されている場合に、この各アプリケーションプログラムＡ、Ｂ、Ｃの作業環境を保存する場合には、情報処理装置５０に作業環境に係る情報（アプリケーションに係る情報、ウインドウ位置に係るレイアウト情報、処理対象データに係る情報、及び、これらのサムネイル画像データ）を電子ペーパープリンタ４９に出力させ、各アプリケーションプログラムＡ、Ｂ、Ｃの作業環境に係る情報をそれぞれ別個な電子ペーパーカードＥＰに保持させる。
【００５２】
したがって、図３中に示すように、アプリケーションプログラムＡの作業環境に係る情報を記憶部に保持したカードＥＰが出力され、当該カードＥＰの表示部２（１２）には、画面右上でウインドウＢＷ、ＣＷの最も下の重ね位置に表示されていたウインドウＡＷの配置位置に対応した平面位置（右上）に、当該ウインドウＡＷのサムネイル画像ＡＩ（本例では、アプリケーションプログラムを表象する画像であるが、ウインドウ画像の縮小画像でもよい）が表示保持される。したがって、当該カードＥＰのサムネイル画像ＡＩを見るだけで、当該カードＥＰによりどのアプリケーションの作業環境が画面上の何処に表示されるかを認識することができる。
【００５３】
また、同様に、アプリケーションプログラムＢの作業環境に係る情報を記憶部に保持したカードＥＰが出力され、当該カードＥＰの表示部２（１２）には、画面左上でウインドウＣＷとＡＷの間に重ねられる位置に表示されていたウインドウＢＷの配置位置に対応した平面位置（右上）に、当該ウインドウＢＷのサムネイル画像ＢＩが表示保持される。また、同様に、アプリケーションプログラムＣの作業環境に係る情報を記憶部に保持したカードＥＰが出力され、当該カードＥＰの表示部２（１２）には、画面中央下でウインドウＡＷの上に重ねられる位置に表示されていたウインドウＣＷの配置位置に対応した平面位置（中央下）に、当該ウインドウＣＷのサムネイル画像ＣＩが表示保持される。
なお、本例では、処理対象データに係る情報もカードＥＰに保持させる他、データに係る情報を除いて、アプリケーションプログラムとレイアウトに係る情報を組み合わせてカードに保持させるようにしてもよい。
【００５４】
図４と図５は、上記のようにして出力された３枚の電子ペーパーカードＥＰをカードリーダ６０に装填して読み取りさせ、情報処理装置５０にアプリケーションプログラムの起動等をさせて、作業環境を実現させたときの画面５１の表示例を示している。
ここで、本例のカードリーダ６０には複数の電子ペーパーカードＥＰを同時に装填するための複数のスロット６１、６２、６３が設けられており、各スロットに装填された電子ペーパーカードＥＰから記憶部２（１２）の保持情報が読み取られて情報処理装置５０に入力される。例えば、各スロット６１、６２、６３には装填された電子ペーパーカードＥＰと非接触式又は接触式で情報通信を行うためのインタフェースが設けられている。
【００５５】
また、これらスロットには画面５１における深さ方向の表示位置（すなわち、複数のウインドウ間の重なり関係）が設定されており、いずれのスロットから読み取られた情報であるかに基づいて、制御手段５８及びウインドウ表示制御手段５４が当該スロットからの読み取り情報に係るウインドウの表示深さを制御する。
本例では、図中右側に設けられたスロット６１には最も浅い表示位置（すなわち、画面上での表面側）が設定され、次のスロット６２には中間の深さの表示位置が設定され、次のスロット６３には最も深い表示位置が設定されている。
【００５６】
図４に示すように、サムネイル画像ＣＩが表示保持されるたカードＥＰをスロット６１に装填し、サムネイル画像ＢＩが表示保持されるたカードＥＰをスロット６２に装填し、サムネイル画像ＡＩが表示保持されるたカードＥＰをスロット６３に装填して、各カードＥＰの記憶部に保持された情報を読み取って情報処理装置５０に入力すると、画面５１には上からウインドウＣＷ、ウインドウＢＷ、ウインドウＡＷが順に重ねられた画業環境が表示される。なお、各ウインドウの平面上での位置関係は、サムネイル画像の配置位置である。
したがって、各カードＥＰを上記のようにカードリーダ６０に装填することで、図３に示した作業環境が画面５１上に再現される。
【００５７】
同様に、図５に示すように、サムネイル画像ＡＩが表示保持されるたカードＥＰをスロット６１に装填し、サムネイル画像ＢＩが表示保持されるたカードＥＰをスロット６２に装填し、サムネイル画像ＣＩが表示保持されるたカードＥＰをスロット６３に装填して、各カードＥＰの記憶部に保持された情報を読み取って情報処理装置５０に入力すると、画面５１には上からウインドウＡＷ、ウインドウＢＷ、ウインドウＣＷが順に重ねられた画業環境が表示される。すなわち、カードＥＰを読み取らせるスロットを変更することで、画面５１上での各ウインドウを重なり関係を変更することができる。
【００５８】
図６と図７は、レイアウトに係る情報データを記憶部に保持するとともに当該レイアウトを表象する画像情報ＬＩを表示保持したレイアウト用カードＥＰ、アプリケーションプログラムに係る情報データを記憶部に保持するとともに当該アプリケーションの種別を表象する画像情報ＰＩを表示保持したアプリケーション用カードＥＰ、処理対象データに係る情報データを記憶部に保持するとともに当該データ内容を表象するサムネイル画像情報ＤＩを表示保持したデータ用カードＥＰの３枚の電子ペーパーカードＥＰをカードリーダ６０に装填して読み取りさせ、情報処理装置５０にアプリケーションプログラムの起動等をさせて、作業環境を実現させたときの画面５１の表示例を示している。
なお、本例のカードリーダ６０には上記のように３つのスロット６１、６２、６３が設けられているが、これらスロットには上記のように表示関係の設定はなされていない。
【００５９】
まず、図６に示すように、情報処理装置５０の画面５１にデータを処理しているアプリケーションプログラムのウインドウＷが表示されている状態の情報を、レイアウト用カードＥＰ、アプリケーション用カードＥＰ、データ用カードＥＰに分担させて保持させる。この結果、レイアウト用カードＥＰは画面表示されているウインドウＷのレイアウトに係る情報データを記憶部に保持するとともに当該レイアウトを表象する画像情報ＬＩを表示部に表示保持する。また、アプリケーション用カードＥＰは起動されているアプリケーションに係る情報データを記憶部に保持するとともに当該アプリケーションを表象する画像情報ＰＩ（名称：ＡＢＣＤＥ）を表示部に表示保持する。また、データ用カードＥＰは処理されているデータに係る情報データを記憶部に保持するとともに当該データを表象する画像情報ＤＩを表示部に表示保持する。
【００６０】
そして、図７に示すように、上記とは異なる他のレイアウト情報を記憶部に保持するとともに表示部に当該表象画像情報ＬＩＸを表示保持した他のレイアウト用カードに交換して、上記のアプリケーション用カードＥＰ及びデータ用カードＥＰと共にカードリーダ６０に装填すると、これらカードＥＰから読み取られた保持情報に基づいて、情報処理装置５０の画面５１にアプリケーションプログラムＡＢＣＤＥがデータ処理するウインドウＷＸが表示される。
【００６１】
このウインドウＷＸと図６に示したウインドウＷとは、アプリケーション用カードＥＰ及びデータ用カードＥＰが同じであるので同じアプリケーションプログラムによる同じデータの処理領域であるが、レイアウト用カードに交換を交換したことにより表示位置が画面５１の右上から左下に変更されている。すなわち、ユーザはカードＥＰに表示保持されているレイアウトの表象画像を見て、好みのレイアウトのレイアウト用カードを選択してカードリーダ６０に装填するだけで、情報処理装置の画面５１の表示されるウインドウの位置を変更することができる。
なお、アプリケーションプログラムやデータについても同様であり、アプリケーション用カードＥＰやデータ用カードＥＰを変更してカードリーダ６０に装填することで、情報処理装置５０が起動するアプリケーションプログラムや処理するデータを変更することができる。
【００６２】
図８と図９は、電子メールの宛先アドレスに係る情報データを記憶部に保持するとともに  当該アドレスを表象する画像情報ＡＤＩを表示保持したアドレス用カードＥＰ、電子メール処理アプリケーションプログラムに係る情報データを記憶部に保持するとともに当該アプリケーションの種別を表象する画像情報ＰＩを表示保持したアプリケーション用カードＥＰ、電子メールの送信対象データに係る情報データを記憶部に保持するとともに当該データ内容を表象するサムネイル画像情報ＤＩを表示保持したデータ用カードＥＰの３枚の電子ペーパーカードＥＰをカードリーダ６０に装填して読み取りさせ、情報処理装置５０にアプリケーションプログラムの起動等をさせて、宛先アドレスへデータを本文にした電子メールを送信処理させる例を示している。
なお、本例のカードリーダ６０には上記のように３つのスロット６１、６２、６３が設けられているが、これらスロットには上記のように特段の設定はなされていない。
【００６３】
まず、図８に示すように、アドレス用カードＥＰ、アプリケーション用カードＥＰ、データ用カードＥＰをそれぞれカードリーダ６０のスロット６１〜６３に装填して、情報処理装置５０へ情報を入力する。
アドレス用カードＥＰは宛先アドレスに係る情報データを記憶部に保持するとともに当該アドレスを表象する画像情報ＡＤＩを表示部に表示保持しており、また、アプリケーション用カードＥＰは電子メール送信に用いるアプリケーションに係る情報データを記憶部に保持するとともに当該アプリケーションを表象する画像情報ＰＩ（メールソフト：ＸＹＺ）を表示部に表示保持しており、また、データ用カードＥＰは電子メールの本文として送信処理されるデータに係る情報データを記憶部に保持するとともに当該データを表象する画像情報ＤＩを表示部に表示保持している。
【００６４】
これら各カードＥＰから入力された情報に基づいて、情報処理装置５０のメール作成手段５５が、図９に示すように、上記データを本文とするとともに上記アドレスを宛先とした電子メールＥＭを作成し、通信手段５７によりネットワークＮに送信処理する。
したがって、ユーザは表示保持されているアドレスやデータの画像に基づいて必要なアドレス用カードやデータ用カードを選択し、これらカードをカードリーダ６０に装填することにより、所望のデータを所望の宛先に電子メール送信することができる。
【００６５】
なお、図４〜図８には、カードＥＰの縁部を装填するスロット６１〜６３を有して当該カードＥＰを立てた状態で支持する立型のカードリーダ６０を示したが、図２０に示すように、カードＥＰから情報を読み取るために当該カードＥＰを設置する領域６１ａ〜６３ａを有して当該カードＥＰを平置き状態で支持する平置き型のカードリーダ６０としてもよい。更には、図２１に示すように、ユーザＭが作業を行うテーブルＴに平置き型のカードリーダ６０を内蔵して、カードＥＰを設置する領域６１ａ〜６３ａをテーブルＴの上面に設け、更には、当該テーブルにカードＥＰから読み取った情報を表示するパーソナルコンピュータＰＣの画面Ｄを設けるようにしてもよい。立型のカードリーダ６０はユーザの作業スペースにおいてあまり大きな設置面積を必要としないという利点があり、また、平置き型のカードリーダ６０は記憶保持している情報の内容を確認しながらカードＥＰをカードリーダ６０に装填し易いという利点がある。
【図面の簡単な説明】
【００６６】
【図１】本発明の一例に係るデータ処理システムの構成を示す図である。
【図２】本発明の一例に係る保持情報を説明する図である。
【図３】本発明の一例に係るデータ処理システムの処理を説明する図である。
【図４】本発明の一例に係るデータ処理システムの処理を説明する図である。
【図５】本発明の一例に係るデータ処理システムの処理を説明する図である。
【図６】本発明の一例に係るデータ処理システムの処理を説明する図である。
【図７】本発明の一例に係るデータ処理システムの処理を説明する図である。
【図８】本発明の一例に係るデータ処理システムの処理を説明する図である。
【図９】本発明の一例に係るデータ処理システムの処理を説明する図である。
【図１０】本発明の一例に係るデータ処理システムの処理を説明する図である。
【図１１】光書き込み型電子ペーパーを示す図である。
【図１２】光書き込み型電子ペーパーの使用方法を説明する図である。
【図１３】光書き込み型電子ペーパーの動作原理を説明する図である。
【図１４】光書き込み型電子ペーパーの構造を説明する図である。
【図１５】自己書き込み型電子ペーパーを示す図である。
【図１６】自己書き込み型電子ペーパーの動作原理を説明する図である。
【図１７】自己書き込み型電子ペーパーの構造を説明する図である。
【図１８】表示記録媒体の他の例を示す図である。
【図１９】表示記録媒体の他の例を示す図である。
【図２０】カードリーダの一例を示す図である。
【図２１】カードリーダの一例を示す図である。
【符号の説明】
【００６７】
ＥＰ、：表示記録媒体（電子ペーパーカード）、  Ｐ：表示記録媒体（用紙）、
２：表示部、  ３：処理部、
４：電極、  ５：無線部、
６：メモリ、  ７：バッテリ、
１２：表示部、  １３：処理部、
１４：ドライバ、  １５：無線部、
１６：メモリ、  １７：バッテリ、
４７：データ書き込み手段、  ４８：画像書き込み手段、
４９；電子ペーパープリンタ、ＰＣ：パーソナルコンピュータ、
５０：情報処理装置（パーソナルコンピュータ）、  ５１：画面、
５２：アプリケーション起動手段、  ５３：データ取得手段、
５４：ウインドウ表示制御手段、  ５５：メール作成手段、
６０：カードリーダ、  ６１〜６３：装填部（スロット）、
ＡＷ、ＢＷ、ＣＷ、Ｗ、ＷＸ：ウインドウ、
ＡＩ、ＢＩ、ＣＩ、ＬＩ、ＰＩ、ＤＩ、ＬＸＩ、ＡＤＩ：表象画像、
ＥＭ：電子メール、
【図１】
2006004311.tif 000003
【図２】
2006004311.tif 000004
【図３】
2006004311.tif 000005
【図４】
2006004311.tif 000006
【図５】
2006004311.tif 000007
【図６】
2006004311.tif 000008
【図７】
2006004311.tif 000009
【図８】
2006004311.tif 000010
【図９】
2006004311.tif 000011
【図１０】
2006004311.tif 000012
【図１１】
2006004311.tif 000013
【図１２】
2006004311.tif 000014
【図１３】
2006004311.tif 000015
【図１４】
2006004311.tif 000016
【図１５】
2006004311.tif 000017
【図１６】
2006004311.tif 000018
【図１７】
2006004311.tif 000019
【図１８】
2006004311.tif 000020
【図１９】
2006004311.tif 000021
【図２０】
2006004311.tif 000022
【図２１】
2006004311.tif 000023